(57)【要約】【課題】移送キャビネットと共に使用するように設計されたバルクリベット・コンテナを提供する。【解決手段】バルクリベット・コンテナが、カバーと、隣接するＲＦＩＤタグとを含み、このカバーは、閉鎖位置と開口位置との間で移動可能であり得る。カバー外部は、開口凹部を有することができる。コンテナの周囲側面は、配向突出部と、コンテナ・ロック凹部とを含むことができる。コンテナは、ＲＦＩＤ読取装置が結合されるキャビネット・カバーにより閉鎖可能なリベット入口通路を有する移送キャビネットと協働するように設計することができる。キャビネットは、キャビネット入口通路の周りに配向されたロック突出部及び開口突出部を有することができる。配向突出部、コンテナ・ロック凹部、及びコンテナ開口凹部は、それぞれ、配向凹部、コンテナ・ロック突出部、及びコンテナ開口突出部と同時に結合できるように設計することができ、一方、ＲＦＩＤタグは、ＲＦＩＤ読取装置に同時に読み取り可能である。【選択図】図２
2020019134.tif 000002
【特許請求の範囲】
【請求項１】
ＲＦＩＤ読取装置が結合されたキャビネット・カバーにより閉鎖可能なキャビネット入口通路と、配向凹部に対して前記キャビネット入口通路の周りに配向されたロック突出部及び開口突出部とを有する移送キャビネットと協働するように設計されたバルクリベット・コンテナであって、前記コンテナは、
前記コンテナからバルクリベットを排出可能なコンテナ排出通路と、
コンテナ・カバーが前記コンテナ排出通路を閉鎖する閉鎖コンテナ位置と、前記コンテナ・カバーが前記コンテナ排出通路を開口する開口コンテナ位置との間で移動可能なコンテナ・カバーと、
前記排出通路に隣接する前記コンテナの周囲側面に沿って提供される配向突出部と、
前記コンテナ排出通路に隣接する前記コンテナの前記周囲側面に沿って提供されるコンテナ・ロック凹部と、
前記コンテナ・カバーの外部に沿ったコンテナ開口凹部と
前記コンテナ・カバーに隣接するＲＦＩＤタグと、
を含み、
前記配向突出部、前記コンテナ・ロック凹部、及び前記コンテナ開口凹部は、それぞれ、前記配向凹部、前記コンテナ・ロック突出部、及び前記コンテナ開口突出部と同時に結合できるように設計され、前記ＲＦＩＤタグの配置は、前記ＲＦＩＤタグを、前記ＲＦＩＤ読取装置により同時に読み取り可能にするように設計される、バルクリベット・コンテナ。
【請求項２】
前記コンテナは、コンテナ本体に結合されたコンテナ・キャップを含み、前記コンテナ・キャップは、前記閉鎖コンテナ位置と前記開口コンテナ位置との間に、前記キャップ本体に対する前記コンテナ・カバーの摺動可能な移動を与えるように、キャップ本体に摺動可能に結合された前記コンテナ・カバーを含むことを特徴とする、請求項１に記載のバルクリベット・コンテナ。
【請求項３】
前記キャップ本体はカバー開口防止部品を含み、前記コンテナ・カバーは、前記キャップ本体の前記カバー開口防止部品に係合して、前記閉鎖コンテナ位置から前記開口コンテナ位置までの前記コンテナ・カバーの直接手動移動に抵抗する協働するカバー開口防止部品を含むことを特徴とする、請求項２に記載のバルクリベット・コンテナ。
【請求項４】
前記キャップ本体の前記カバー開口防止部品は、突出部及び停止壁の第１のものであり、前記コンテナ・カバーの前記協働するカバー開口防止部品は、前記突出部及び前記停止壁の第２のものであることを特徴とする、請求項３に記載のバルクリベット・コンテナ。
【請求項５】
前記キャップ本体の前記カバー開口防止部品は停止壁であり、前記コンテナ・カバーの前記協働するカバー開口防止部品は、内部に延びる突出部であることを特徴とする、請求項３に記載のバルクリベット・コンテナ。
【請求項６】
前記コンテナは、コンテナ本体に結合されたコンテナ・キャップを含み、前記コンテナの前記周囲側面は、前記コンテナ・キャップの周囲側面に対応することを特徴とする、請求項１に記載のバルクリベット・コンテナ。
【請求項７】
前記配向突出部は、前記コンテナ・キャップの前記周囲側面から半径方向外方に延びることを特徴とする、請求項６に記載のバルクリベット・コンテナ。
【請求項８】
前記コンテナ・ロック凹部は、前記コンテナ・キャップの前記周囲側面から半径方向内方に延びることを特徴とする、請求項７に記載のバルクリベット・コンテナ。
【請求項９】
前記コンテナは、コンテナ本体に結合されたコンテナ・キャップを含み、前記コンテナ本体は、キャップ除去防止部品を含み、前記コンテナ・キャップは、前記コンテナ本体の前記キャップ除去防止部品に係合して、前記コンテナ本体から前記キャップが除去されるのを防止する協働するキャップ除去防止部品を含むことを特徴とする、請求項１に記載のバルクリベット・コンテナ。
【請求項１０】
前記コンテナ・キャップは、前記コンテナ本体にねじ結合されることを特徴とする、請求項９に記載のバルクリベット・コンテナ。
【請求項１１】
前記コンテナ本体の前記キャップ除去防止部品及び前記コンテナ・キャップの前記協働するキャップ除去防止部品の各々は、互いに位置合わせされたアパーチャを含むことを特徴とする、請求項１０に記載のバルクリベット・コンテナ。
【請求項１２】
前記コンテナ本体の前記キャップ除去防止部品及び前記コンテナ・キャップの前記協働するキャップ除去防止部品は、前記アパーチャを通るピン及びグロメットを含むことを特徴とする、請求項１１に記載のバルクリベット・コンテナ。
【請求項１３】
前記コンテナは、それぞれ、前記コンテナ・キャップ及びコンテナ本体の位置合わせされたアパーチャを通って延びるピン及びグロメットによりコンテナ本体に結合されたコンテナ・キャップを含むことを特徴とする、請求項１に記載のバルクリベット・コンテナ。
【請求項１４】
開封明示ステッカーが、前記ピン及びグロメットの上に延びることを特徴とする、請求項１３に記載のバルクリベット・コンテナ。
【請求項１５】
前記コンテナ・カバーの前記外部は、外部に延びる突出部を含み、前記コンテナ開口凹部は、前記外部に延びる突出部内に又はその後ろに提供されることを特徴とする、請求項１に記載のバルクリベット・コンテナ。
【請求項１６】
前記バルクリベット・コンテナは、自己穿孔リベットを収容することを特徴とする、請求項１に記載のバルクリベット・コンテナ。
【請求項１７】
前記ＲＦＩＤタグは、前記コンテナ・カバーの内側に結合されることを特徴とする、請求項１に記載のバルクリベット・コンテナ。
【請求項１８】
前記コンテナは、コンテナ本体に結合されたコンテナ・キャップを含み、前記コンテナ本体はキャップ除去防止部品を含み、前記コンテナ・キャップは、前記コンテナ本体の前記キャップ除去防止部品に係合して、前記コンテナ本体から前記キャップが除去されるのを防止する協働するキャップ除去防止部品を含み、前記コンテナ・キャップは、前記閉鎖コンテナ位置と前記開口コンテナ位置との間に、前記キャップ本体に対する前記コンテナ・カバーの摺動可能な移動を与えるように、キャップ本体に摺動可能に結合された前記コンテナ・カバーを含み、前記キャップ本体はカバー開口防止部品を含み、前記コンテナ・カバーは、前記キャップ本体の前記キャップ除去防止部品に係合して、前記閉鎖コンテナ位置から前記開口コンテナ位置までの前記コンテナ・カバーの直接手動移動に抵抗する協働するカバー開口防止部品を含むことを特徴とする、請求項１に記載のバルクリベット・コンテナ。
【請求項１９】
バルクリベット・コンテナと移送キャビネットの組み合わせであって、
前記移送キャビネットは、
バルクリベットを前記コンテナから前記キャビネット内に受け取ることができるキャビネット入口通路と、
前記キャビネット入口通路の上に配置され、その周囲内にコンテナ配向凹部を含むコンテナ取り付け用レセプタクルと、
前記キャビネット・カバーが前記キャビネット入口通路を閉鎖する閉鎖キャビネット位置と、前記キャビネット・カバーが前記キャビネット入口通路を開口する開口キャビネット位置との間で移動可能であり、その外部はコンテナ開口突出部を有する、キャビネット・カバーと、
前記コンテナ取り付け用レセプタクルに隣接し、非ロック位置とロック位置との間で移動可能なコンテナ・ロック突出部と、
前記キャビネット・カバーに結合されたＲＦＩＤ読取装置と、
を含み、
前記バルクリベット・コンテナは、
バルクリベットを前記コンテナから前記キャビネット内に排出可能なコンテナ排出通路と、
前記コンテナ・カバーが前記コンテナ排出通路を閉鎖する閉鎖コンテナ位置と、前記コンテナ・カバーが前記コンテナ排出通路を開口する開口コンテナ位置との間で移動可能なコンテナ・カバーと、
前記コンテナ排出通路に隣接する前記コンテナの周囲側面に沿ったコンテナ配向突出部と、
前記コンテナ排出通路に隣接する前記コンテナの前記周囲側面に沿ったコンテナ・ロック凹部と、
前記コンテナ・カバーの外部に沿ったコンテナ開口凹部と、
前記コンテナ・カバーに隣接するＲＦＩＤタグと、
を含み、
前記コンテナが前記キャビネットの前記コンテナ取り付け用レセプタクルに取り付けられると、前記ＲＦＩＤタグは、前記ＲＦＩＤ読取装置により読み取り可能となるように配置され、前記コンテナ配向突出部は前記コンテナ配向凹部と係合し、前記コンテナ・ロック突出部は、前記コンテナ・ロック突出部が前記コンテナ・ロック凹部の外部にある非ロック位置と、前記コンテナ・ロック突出部が前記コンテナ・ロック凹部と係合する前記ロック位置との間で移動可能であり、前記キャビネット・カバーが前記閉鎖キャビネット位置から前記開口キャビネット位置に移動すると、前記コンテナ開口突出部は、前記コンテナ開口凹部に係合し、前記コンテナ・カバーが、前記閉鎖コンテナ位置から前記開口コンテナ位置に移動するのを可能にすることを特徴とする、バルクリベット・コンテナと移送キャビネットの組み合わせ。
【請求項２０】
前記移送キャビネットは、前記コンテナ開口突出部を支持するカバー・アクチュエータを含み、前記移送キャビネットは、前記キャビネット・カバー及びコンテナ・ロック突出部を支持するロック・アクチュエータを含み、前記移送キャビネットは、バンパーを支持するバンプ・アクチュエータを含み、前記コンテナが前記キャビネットの前記コンテナ取り付け用レセプタクルに取り付けられると、前記バンプ・アクチュエータの往復動式作動が、前記バンパーを往復動させることを特徴とする、請求項１９に記載のバルクリベット・コンテナと移送キャビネットの組み合わせ。
【発明の詳細な説明】
【技術分野】
【０００１】
本開示は、移送キャビネットと共に使用するように設計されたバルクリベット・コンテナに関する。
【背景技術】
【０００２】
本項は、本開示に関する背景情報を提供するが、これは必ずしも従来技術ではない。
【０００３】
製造ラインは、部品を互いに締結又は結合するために、自己穿孔リベットなどのリベットを含むことができる。移送キャビネットは、リベットが常にリベット締結機に供給されることを確実にするのを助けることにより、こうしたリベットを取り付けるリベット締結機の潜在的な休止時間を最小にすることができる。移送キャビネットは、コンテナからバルク（すなわち、バラ積みの）リベットを受け取り、リベットを、リベット締結機の空気圧供給装置などのリベット供給装置に連続的に（すなわち、次々に）供給することができる。
【０００４】
製造ラインに沿って特定のリベット締結ステーションでリベット締結機に供給されたリベットが、その特定のリベット締結ステーション又はリベット締結機に対して正しいリベットであることを確実にすることは重要である。例えば、自己穿孔リベットは、異なる材料で作成され、異なるプロセス（例えば、熱処理）により作成され、又は異なるコーティングをその上に有することがある。多くの場合、異なる自己穿孔リベットを互いに区別するのは困難である。従って、特定のリベット締結ステーション又はリベット締結機のための移送キャビットにより、正しいリベットのみを受け取ること、及び、リベットが真正であることを確実にするのを助けるシステムを有することが望ましい。ＲＦＩＤタグ又はポークなどのコンテナの単一の特徴部又は態様によると、ヨーク継手は有用であるが、特定のリベット締結機のための移送キャビネット内に、正しくない又は真正でないリベットを不注意で又は意図的に供給する可能性を最小にするのを助けるように、複数の特徴部又は態様を含むことが望ましい。
【発明の概要】
【発明が解決しようとする課題】
【０００５】
移送キャビネットと共に使用するように設計されたバルク（バラ積み）リベット・コンテナを提供する。
【課題を解決するための手段】
【０００６】
本項は、本開示の全体的な概要を提供するものであり、その全範囲又はその特徴の全てを包括的に開示するものではない。
【０００７】
本開示の１つの態様において、バルクリベット・コンテナは、ＲＦＩＤ読取装置が結合されたキャビネット・カバーにより閉鎖可能なキャビネット入口通路と、配向凹部に対してキャビネット入口通路の周りに配向されたロック突出部及び開口突出部とを有する移送キャビネットと協働するように設計することができる。バルクリベット・コンテナは、コンテナからバルクリベットを排出可能なコンテナ排出通路を含むことができる。コンテナ・カバーがコンテナ排出通路を閉鎖する閉鎖コンテナ位置と、コンテナ・カバーがコンテナ排出通路を開口する開口コンテナ位置との間で移動可能にすることができる。コンテナ排出通路に隣接するコンテナの周囲側面に沿って、配向突出部を提供することができる。コンテナ排出通路に隣接するコンテナの周囲側面に沿って、コンテナ・ロック凹部を提供することができる。コンテナ開口凹部は、コンテナ・カバーの外部に沿うことができる。ＲＦＩＤタグは、コンテナ・カバーに隣接することができる。配向突出部、コンテナ・ロック凹部、及びコンテナ開口凹部は、それぞれ、配向凹部、コンテナ・ロック突出部、及びコンテナ開口突出部と同時に結合できるように設計され、ＲＦＩＤタグの配置は、ＲＦＩＤタグを、ＲＦＩＤ読取装置により同時に読取可能にするように設計される。
【０００８】
本開示の別の態様において、バルクリベット・コンテナと移送キャビネットの組み合わせを提供することができる。組み合わせの移送キャビネットは、バルクリベットをコンテナからキャビネット内に受け取ることができるキャビネット入口通路を含むことができる。移送キャビネットは、キャビネット入口通路の上に配置され、その周囲にコンテナ配向凹部を含むコンテナ取り付け用レセプタクルを含むことができる。移送キャビネットは、キャビネット・カバーがキャビネット入口通路を閉鎖する閉鎖キャビネット位置と、キャビネット・カバーがキャビネット入口通路を開口する開口キャビネット位置との間で移動可能であるキャビネット・カバーを含むことができる。キャビネット・カバーの外部は、コンテナ開口突出部を有し得る。移送キャビネットは、コンテナ取り付け用レセプタクルに隣接し、非ロック位置とロック位置との間で移動可能なコンテナ・ロック突出部を含むことができる。移送キャビネットは、キャビネット・カバーに結合されたＲＦＩＤ読取装置を含むことができる。組み合わせのバルクリベット・コンテナは、バルクリベットをコンテナからキャビネット内に排出可能なコンテナ排出通路を含むことができる。バルクリベット・コンテナは、コンテナ・カバーがコンテナ排出通路を閉鎖する閉鎖コンテナ位置と、コンテナ・カバーがコンテナ排出通路を開口する開口コンテナ位置との間で移動可能なコンテナ・カバーを含むことができる。バルクリベット・コンテナは、コンテナ排出通路に隣接するコンテナの周囲側面に沿ったコンテナ配向突出部を含むことができる。バルクリベット・コンテナは、コンテナ排出通路に隣接するコンテナの周囲側面に沿ったコンテナ・ロック凹部を含むことができる。バルクリベット・コンテナは、コンテナ・カバーの外部に沿ったコンテナ開口凹部を含むことができる。バルクリベット・コンテナは、コンテナ・カバーに隣接するＲＦＩＤタグを含むことができる。コンテナがキャビネットのコンテナ取り付け用レセプタクルに取り付けられると、ＲＦＩＤタグは、ＲＦＩＤ読取装置により読み取り可能となるように配置され、コンテナ配向突出部はコンテナ配向凹部と係合し、コンテナ・ロック突出部は、コンテナ・ロック突出部がコンテナ・ロック凹部の外部にある非ロック位置と、コンテナ・ロック用突出部がコンテナ・ロック凹部と係合するロック位置との間で移動可能であり、キャビネット・カバーが閉鎖キャビネット位置から開口キャビネット位置に移動すると、コンテナ開口突出部は、コンテナ開口凹部と係合し、コンテナ・カバーが、閉鎖コンテナ位置から開口コンテナ位置に移動するのを可能にする。
【０００９】
さらなる適用可能な分野は、本明細書において与えられる説明から明らかになるであろう。本概要における説明及び特定の例は、例示目的であることのみを意図し、本開示の範囲を限定することを意図するものではない。
本明細書において記載される図面は、全ての可能な実施例を示すものではなく、選択された実施形態の例証目的のためのものにすぎず、本開示の範囲を限定することを意図するものでもない。
【図面の簡単な説明】
【００１０】
【図１】本開示による、例示的なバルクリベット・コンテナと移送キャビネットの組み合わせの斜視図である。
【図２】図１のバルクリベット・コンテナ及び移送キャビネットの例の分解斜視図である。
【図３】図１の移送キャビネットの例の平面図である。
【図４】図１のバルクリベット・コンテナのキャップ及び移送キャビネットのキャビネット・カバーの例の斜視図である。
【図５】図１のバルクリベット・コンテナの例の分解斜視図である。
【図６】図１のバルクリベット・コンテナのキャップの例の斜視図である。
【図７】アクチュエータ、コンテナ・カバー及びキャビネット・カバーがそれぞれの閉鎖位置にある、図１のバルクリベット・コンテナの例及び図１の移送キャビネットの例の部分の断面である。
【図８】図１の移送キャビネットのコンテナ・レセプタクルを含むキャビネット・ハウジングの底部平面図である。
【図９】図１のバルクリベット・コンテナの例に対して係合される現位置にある、図１の移送キャビネットの例のコンテナ存在センサを示す、図１のバルクリベット・コンテナの例及び図１の移送キャビネットの例の断面図である。
【図１０】非存在位置における図１の移送キャビネットの例のコンテナ存在センサを示す断面図である。
【図１１】図１のバルクリベット・コンテナの例のコンテナ開口凹部と係合した、図１の移送キャビネットの例のコンテナ開口突出部を示す断面図である。
【図１２】図１のコンテナの例のコンテナ・ロック凹部に対して非ロック位置にある、図１の移送キャビネットの例のコンテナ・ロック突出部を示す断面図である。
【図１３】図１のコンテナの例のコンテナ・ロック凹部に対してロック位置にある、図１の移送キャビネットの例のコンテナ・ロック突出部を示す断面図である。
【図１４】それぞれの開口位置において、アクチュエータ、コンテナ・カバー、及びキャビネット・カバーを有する、図１のバルクリベット・コンテナ及び図１の移送キャビネットの例の部分を示す断面図である。
【図１５】図１のバルクリベット・コンテナの例に対して非バンプ位置にある、図１の移送キャビネットのコンテナ・バンプ突出部を示す断面図である。
【図１６】図１のバルクリベット・コンテナの例に対してバンプ位置にある、図１の移送キャビネットの例のコンテナ・バンプ突出部を示す断面図である。
【発明を実施するための形態】
【００１１】
図面の幾つかの図を通して、対応する参照符号は対応する部品を示す。
ここで、添付図面を参照して、例示的な実施形態をさらに十分に説明する。
【００１２】
図１〜図１５を参照すると、本開示による移送キャビネット２２の一例と併用して使用されるように設計されたバルクリベット・コンテナ２０の１つの例が示される。コンテナ２０は、コンテナ内にバルク形態の（すなわち、バラ積みの）リベット２１を収容する。リベットは、自己穿孔リベット２１とすることができる。移送キャビネット２２は、コンテナ２０をキャビネットに結合するための取り付け用レセプタクル２６を含むハウジング２４を含むことができる。ハウジング２４及び取り付け用レセプタクル２６は、キャビネット２２のリベット入口通路２８の上に配置することができる。移送キャビネット２２は、コンテナ２０からバルクリベット２１を受け取り、それらをリベット締結機２５の、空気圧供給装置などのリベット供給装置２３に連続的に（すなわち、次々に）供給することができる。
【００１３】
コンテナ２０は、コンテナ本体３０と、コンテナ・キャップ３２とを含むことができる。コンテナ・キャップ３２及びコンテナ本体３０（例えば、ネック３６上の）は、キャップ３２を本体３０内に回転結合又はねじ結合するための協働するねじ山３４を含むことができる。キャップ３２及び本体３０は、それぞれ、協働するアパーチャ３８及び４０を含むことができ、これらは、キャップ３２がコンテナ本体３０に結合されるとき、互いに位置合わせされ得る。協働するアパーチャ３８及び４０を通ってピン４２及びグロメット４４を配置し、キャップ３２がコンテナ本体３０から回転分離するのを防止することができる。従って、協働するアパーチャ３８及び４０、並びにピン４２及びグロメット４４は、キャップ除去防止組立体のキャップ除去防止部品の例である。協働するキャップ除去防止部品の他の例として、協働するキャップ除去防止突起又は歯と係合したキャップ除去防止突起又は歯が含まれる。キャップ除去防止突起又は歯、又は協働するキャップ除去防止突起又は歯、又はその両方は、一連の突起又は歯とすることができる。
【００１４】
協働するアパーチャ３８、４０を通って延びるピン４２及びグロメット４４は、コンテナ本体３０からのキャップ３２の回転分離に抵抗するので、ピン４２及びグロメット４４をアパーチャ３８及び４０から取り外さずに、コンテナを開口し、コンテナ内のリベットを除去し、置換し、又は他の方法で変更することは困難である。こうしたピン４２及びグロメット４４の除去は、それ自体が困難である。さらに、開封明示シール又はステッカー４６をピン４２及び／又はグロメット４４の上に配置し、コンテナ２０を開口し、コンテナ２０内のリベット２１を置換し、又は他の方法で変更した可能性があるという表示を与えることができる。
【００１５】
バルクリベット２１は、コンテナ排出通路４８を通してコンテナから排出することができる。コンテナ２０のコンテナ排出通路４８の部分は、コンテナ本体３０のネック３６及びコンテナ・キャップ３２により定めることができる。コンテナ・カバー５０は、コンテナ・カバー５０がコンテナ排出通路４８を閉鎖して、リベットがこの通路４８を通ってコンテナ２０から排出されるのを防止する閉鎖コンテナ位置（例えば、図１１）と、コンテナ・カバー５０がコンテナ排出通路４８を開口し、この経路４８を通してリベット２１をコンテナ２０から排出するのを可能にする開口コンテナ位置（例えば、図１４）との間で移動可能であり得る。
【００１６】
示される例におけるように、コンテナ・カバー５０は、キャップ３２の一部とすることができ、又はこれに移動可能に結合することができる。コンテナ・カバー５０は、キャップ３２のねじ切られた固定又は本体５２の部分に対して摺動可能とすることができる。例えば、カバー５０の反対側の周縁部を、キャップ本体５２の対向する溝内に摺動可能に受けることができる。コンテナ・キャップ３２のキャップ本体５２は、端壁５４と、該端壁５４から延びる周囲側壁５６を含むことができる。従って、キャップ３２の周囲側壁５６、及びコンテナ本体３０の同様の周囲側壁は、それぞれコンテナ２０の周囲側面の部分を定めることができる。コンテナ排出通路４８は、キャップ３２の端壁を通って延びることができる。
【００１７】
コンテナ・カバー５０に沿って、カバー開口防止突出部７６を提供することができる。この実施形態におけるように、カバー開口防止突出部７６は、コンテナ・カバー５０から内部に延びることができ、かつ、コンテナ２０のキャップ３２の隣接するカバー開口防止壁又は面７８に押し当たって係合し、閉鎖コンテナ位置（例えば、図１１）から開口コンテナ位置（例えば、図１４）へのコンテナ・カバー５０の直接手動移動に抵抗することができる。対照的に、カバーが直接手動動作によって移動されるまで、カバーを閉鎖状態に保持するスナップ・ロック及び同様の構成は、互いに係合せず、それらはちょうど反対のことを行って、カバーの直接手動移動を可能にするように設計されているので、カバーの直接手動移動に対抗する。場合によっては、カバー開口防止突出部７６及びカバー開口防止壁又は面７８は、互いに係合し、必要な力をコンテナ・カバー５０に印加するために、ツールを必要とする十分な力（例えば、間接手動動作）で閉鎖位置から開口位置への移動に抵抗するように設計することができる。カバー開口防止突出部７６及びカバー開口防止壁又は面７８は、協働するカバー開口防止部品７６、７８の一例であり、これにより、コンテナ２０内のリベット２１を除去及び置換し、又は他の方法で変更するために、コンテナ２０を開口する難しさがさらに増大し得る。
【００１８】
コンテナ２０は、排出通路４８に隣接するコンテナ２０の周囲側面に沿って設けられた配向突出部５８を含むことができる。この実施形態におけるように、配向突出部５８は、コンテナ２０の周囲側面から半径方向外方に延びることができ、コンテナ２０の周囲側面は、コンテナ・キャップ３２の周囲側壁５６の隣接する部分とすることができる。示される例におけるように、配向突出部５８は、隆起した環状突出部又はリブ６０、ピン４２及びグロメット４４の部分、並びにその組み合わせを含み、コンテナ・キャップ３２の周囲側壁５６から半径方向外方に延びることができる。コンテナ配向突出部５８は、コンテナ２０が移送キャビネット２２の取り付け用レセプタクル２６に取り付けられる又は結合されるとき、協働する配向凹部６２と嵌合するように設計することができる。後述するように、コンテナ２０がキャビネット２２の取り付け用レセプタクル２６に取り付けられる又は結合されるとき、コンテナ配向突出部５８と配向凹部６２のこうした嵌合は、キャビネット２２の協働する又対応する特徴部と共にコンテナ２０の種々の特徴部を適切に配向又は配置する。従って、コンテナ２０を、単一の配向又は位置において取り付け用レセプタクル２６に適切に又は完全に取り付けること又は結合することのみ可能である。
【００１９】
コンテナ２０は、該コンテナ２０がキャビネット２２の取り付け用レセプタクル２６に取り付けられる又は結合されるとき、協働するコンテナ・ロック突出部６６を受け又はこれと結合し、コンテナ２０を移送キャビネット２２にロックするように設計されたコンテナ・ロック凹部６４を含むことができる。コンテナ・ロック凹部６４は、排出通路４８に隣接するコンテナ２０の周囲側面に沿って設けることができる。この例におけるように、コンテナ・ロック凹部６４は、コンテナ２０の周囲側面から半径方向内方に延びることができ、コンテナ２０の周囲側面は、コンテナ・キャップ３２の周囲側壁５６の隣接する部分とすることができる。
【００２０】
コンテナ２０は、該コンテナ２０がキャビネット２２の取り付け用レセプタクル２６に取り付けられるとき、協働するコンテナ開口突出部７０を受ける又はこれと結合するように設計されたコンテナ・カバー５０の外部に沿ったコンテナ開口凹部６８を含むことができる。コンテナ開口凹部６８は、コンテナ・カバー５０の隆起部分５１内部又はその後ろといった、コンテナ・カバー５０の外部内に設けることができる。コンテナの隆起部分は、環状突出部又はリブ５１とすることができる外部に延びる突出部５１とすることができる。コンテナ・カバー５０は、コンテナ開口凹部６８を含む一体の部品とすることができる。
【００２１】
コンテナ２０は、コンテナ・カバー５０に隣接するＲＦＩＤタグ７２を含むことができる。例えば、ＲＦＩＤタグ７２は、コンテナ・カバー５０の内面又は内部表面に結合することができる。従って、場合によっては、ＲＦＩＤタグ７２は、コンテナ２０の内部に設けることができ、従って、コンテナ２０を開口することなく、コンテナ２０の外部から該ＲＦＩＤタグ７２にアクセスできない。コンテナ２０がキャビネット２２の取り付け用レセプタクル２６に取り付けられる又は結合されるとき、ＲＦＩＤタグ７２の配置は、移送キャビネット２２のＲＦＩＤ読取装置７４により読み取り可能にするように設計することができる。
【００２２】
移送キャビネット２２は、該キャビネット２２のリベット入口通路２８を通して、コンテナ２０のリベット排出通路４８から、バルク（すなわち、バラ積みの）リベット２１を受け取り、リベット２１を、リベット締結機２５の、空気圧供給装置などのリベット供給装置２３に連続的に（すなわち、次々と）供給するように設計することができる。ハウジング２４及び取り付け用レセプタクル２６は、キャビネット入口通路２８の上方に延びることができる。キャビネット２２は、閉鎖キャビネット位置（例えば、図１１）と開口キャビネット位置（例えば、図１４）との間で移動可能なキャビネット・カバー８０を含むことができる。閉鎖キャビネット位置において、キャビネット・カバー８０は、キャビネット入口通路２８を閉鎖して、リベット２１がそこを通るのを防止する。開口位置において、キャビネット・カバー８０は、キャビネット入口通路２８を開口して、リベット２１がそこを通るのを可能にする。
【００２３】
キャビネット・カバー８０は、カバー・アクチュエータ８２に結合することができる。カバー・アクチュエータ８２及び移送キャビネット２２の他のアクチュエータは、アクチュエータ本体８４及びアクチュエータ・アーム８６を含むことができる。キャビネット２２のアクチュエータの例は、空気圧シリンダ、油圧シリンダ、及びソレノイドを含むことができる。カバー・アクチュエータ８２が作動すると、アーム８６は、アクチュエータ本体８４に対して延長位置と後退位置との間で線形に移動することができる。延長位置と後退位置との間のアクチュエータ・アーム８６の移動により、その閉鎖位置と開口位置との間でキャビネット・カバー８０の対応する線形又は摺動移動が引き起こされ得る。キャビネット・カバー８０の外部は、コンテナ・カバー５０のコンテナ開口凹部６８と係合又は結合するコンテナ開口突出部７０を有することができる。従って、カバー・アクチュエータ８２は、コンテナ開口突出部７０を支持することができる。
【００２４】
移送キャビネット２２は、取り付け用レセプタクル２６内に延びることができるコンテナ存在センサ１０６を含むことができる。コンテナ２０が取り付け用レセプタクル２６内に取り付けられると、コンテナ存在センサ１０６は、内部に適切に又は完全に取り付けられたコンテナ２０の存在を検知する。コンテナ存在センサ１０６は、コンテナ２０が内部に適切に又は完全に取り付けられると、非存在位置（図１０）からコンテナ存在位置（例えば、図９）へ移動するスイッチを含むことができる。
【００２５】
移送キャビネット２２は、キャビネット入口通路２８に隣接し、非ロック位置とロック位置との間で移動可能なコンテナ・ロック突出部６６を含むことができる。コンテナ・ロック突出部は、ロック・アクチュエータ８８のアクチュエータ・アーム８６により提供することができる。ロック位置において、キャビネット２２のロック突出部６６は、コンテナ２０のロック凹部９０内に延びる。従って、コンテナ２０は、キャビネット２２の取り付け用レセプタクル２６から除去できないようにされる。非ロック位置において、キャビネット２２のロック突出部６６は、コンテナ・ロック凹部６４の外側に後退される。従って、コンテナは、キャビネット２２の取り付け用レセプタクルから除去することができない。
【００２６】
移送キャビネット２２は、ＲＦＩＤ読取装置７４を含むことができる。ＲＦＩＤ読取装置７４は、キャビネット２２の取り付け用レセプタクル２６に隣接して配置することができる。例えば、ＲＦＩＤ読取装置７４は、キャビネット・カバー８０の内側に結合することができる。
【００２７】
移送キャビネット２２は、コンテナ２０がキャビネット２２の取り付け用レセプタクル２６に取り付けられるとき、キャビネット２２の種々の対応する特徴部に対してコンテナ２０の種々の特徴部を同時に配向するコンテナ配向凹部６２を含むことができる。これが生じたとき、コンテナ２０の配向突出部５８は、キャビネット２２の取り付け用レセプタクル２６内の配向凹部６２内に受けられ又はこれに結合される。配向突出部５８及び凹部６２は、単一の配向突出部５８及び凹部６２とすることができる。コンテナ２０は、１つの配向にのみ、キャビネット２２に取り付けること又は結合することができる。
【００２８】
配向突出部５８及び凹部６２が互いに係合し、受けられ、又は結合されるように、コンテナ２０が移送キャビネット２２に取り付けられると、ＲＦＩＤタグ７２は、ＲＦＩＤ読取装置７４により読み取り可能にするように配置され得る。同時に、コンテナ・ロック突出部６６は、コンテナ・ロック凹部６４と位置合わせして又はこれに隣接して配置することができ、そこで、非ロック位置からロック位置へのコンテナ・ロック突出部６６の移動により、コンテナがキャビネット２２にロック又はラッチ止めされる。同時に、キャビネット２２のキャビネット・カバー８０のコンテナ開口突出部７０は、コンテナ２０のコンテナ・カバー５０のコンテナ開口凹部６８と位置合わせし、係合し、内部に受けられ、又はこれに結合することができ、キャビネット・カバー８０が閉鎖キャビネット位置から開口キャビネット位置まで移動するとき、コンテナ・カバー５０が、閉鎖コンテナ位置から開口コンテナ位置に移動するのを可能にする。
【００２９】
従って、コンテナ２２の配向突出部５８、ロック凹部６４及び開口凹部６８は、それぞれ、キャビネットの配向凹部６２、ロック突出部６６及び開口突出部７０と同時に結合できるように設計することができる。ＲＦＩＤ読取装置７４に対するＲＦＩＤタグ７２の配置は、ＲＦＩＤタグ７２をＲＦＩＤ読取装置７４によりさらに同時に読み取り可能にするように設計することができる。ＲＦＩＤ読取装置７４、カバー・アクチュエータ８２、ロック・アクチュエータ８８はそれぞれ、コントローラ９８に結合することができる。コントローラ９８は、ＲＦＩＤ読取装置７４により正しいＲＦＩＤタグ７２が読み取られない限り、カバー・アクチュエータ８２の動作を防止する回路１００を含むことができる。コントローラ９８の回路１００は、これを達成するようにプログラムされたマイクロプロセッサ１０２と、メモリ１０４とを含むことができる。
【００３０】
移送キャビネット２２は、コンテナ・バンプ突出部９２を含むことができる。コンテナ・バンプ突出部９２は、バンプ・アクチュエータ９４のアクチュエータ・アーム８６により提供することができる。コンテナ・バンプ突出部９２は、バンプ・アクチュエータ９４のアクチュエータ・アーム８６の遠位端においてゴム又は他の材料のバンパー９６を含むことができる。バンプ位置において（例えば、図１６）、バンプ・アクチュエータ９４のアクチュエータ・アーム８６をアクチュエータ本体８４に対して延長し、コンテナ２０がキャビネット２２に取り付けられた又は結合されたとき、バンプ突出部が、コンテナ２０に接触する又は衝突するようにできる。非バンプ位置において（例えば、図１５）、バンプ・アクチュエータ９４のアクチュエータ・アーム８６は、アクチュエータ本体８４に向けて、コンテナ２０から遠ざかるように後退させることができる。従って、バンプ位置と非バンプ位置との間のコンテナ・バンプ突出部９２の往復動は、コンテナ２０を揺さぶり、全てのリベット２１がコンテナ２０から供給されるのを確実にする助けとなり得る。
【００３１】
実施形態の上記の説明は、図示及び説明のために与えられている。これは、網羅的であること又は本開示を限定することを意図するものではない。具体的に示され又は説明されていない場合でも、特定の実施形態の個々の要素又は特徴は、一般に、その特定の実施形態に限定されるものではなく、適用可能な場合には、交換可能であり、選択される実施形態において用いることができる。特定の実施形態の個々の要素又は特徴はまた、様々な方法で変化し得る。こうした変形は、本開示からの逸脱とみなすべきではなく、全てのこうした変更は、本開示の範囲内に含まれることが意図される。
【符号の説明】
【００３２】
２０：コンテナ
２１：リベット
２２：移送キャビネット
２３：リベット供給装置
２４：ハウジング
２５：リベット締結機
２６：取り付け用レセプタクル
２８：キャビネット（リベット）入口通路
３０：コンテナ本体
３２：コンテナ・キャップ
３８、４０：アパーチャ
４２：ピン
４４：グロメット
４８：コンテナ排出通路
５０：コンテナ・カバー
５１：突出部又はリブ
６４、６６：コンテナ・ロック凹部
５８：配向突出部
６２：コンテナ配向凹部
６６：コンテナ・ロック突出部
６８：コンテナ開口凹部
７０：コンテナ開口突出部
７２：ＲＦＩＤタグ
７４：ＲＦＩＤ読取装置
８０：キャビネット・カバー
８２：カバー・アクチュエータ
８４：アクチュエータ本体
８６：アクチュエータ・アーム
９２：コンテナ・バンプ突出部
９４：バンプ・アクチュエータ
９８：コントローラ
１００：回路
１０２：マイクロプロセッサ
１０４：メモリ
１０６：コンテナ存在センサ
【図１】
2020019134.tif 000003
【図２】
2020019134.tif 000004
【図３】
2020019134.tif 000005
【図４】
2020019134.tif 000006
【図５】
2020019134.tif 000007
【図６】
2020019134.tif 000008
【図７】
2020019134.tif 000009
【図８】
2020019134.tif 000010
【図９】
2020019134.tif 000011
【図１０】
2020019134.tif 000012
【図１１】
2020019134.tif 000013
【図１２】
2020019134.tif 000014
【図１３】
2020019134.tif 000015
【図１４】
2020019134.tif 000016
【図１５】
2020019134.tif 000017
【図１６】
2020019134.tif 000018